(57)【要約】【課題】介護者が作業をし易く、被介護者がフランジ部の外周から下方に指先を伸ばし易い浴槽、浴室ユニットを提供する。【解決手段】槽底部１１と、槽底部１１の周囲より上側に向けて設けられる槽壁部１２と、槽壁部１２の上端部より外側に向けて設けられる平面視矩形状をした外周を有するフランジ部１３と、を備える。フランジ部１３の外周の少なくとも一辺に、浴室の壁面５１ａと連結される壁連結部２４を備える。壁連結部２４を有するフランジ部１３に、前記辺に沿う方向を長手方向とし所定の幅を有する、上方に開口する溝部２を備える。【選択図】図１
2016007370.tif 000002
【特許請求の範囲】
【請求項１】
槽底部と、
前記槽底部の周囲より上側に向けて設けられる槽壁部と、
前記槽壁部の上端部より外側に向けて設けられる平面視矩形状をした外周を有するフランジ部と、を備え、
前記フランジ部の外周の少なくとも一辺に、浴室の壁面と連結される壁連結部を備え、
前記壁連結部を有する前記フランジ部に、前記辺に沿う方向を長手方向とし所定の幅を有する、上方に開口する溝部を備えることを特徴とする浴槽。
【請求項２】
前記槽壁部の外面の前記フランジ部の上面から下方に、凹凸部を備えることを特徴とする請求項１記載の浴槽。
【請求項３】
前記フランジ部の外周の二辺に、浴室の壁面と連結される壁連結部を備えることを特徴とする請求項１または２記載の浴槽。
【請求項４】
請求項１乃至３のいずれか一項に記載の前記浴槽が床パンに設けられてなる浴室ユニットであって、
平面視において前記床パンの前記浴槽が設けられる部分に切欠を有し、
前記フランジ部の前記壁連結部が設けられない辺に対応する部分に、前記床パンから一体に起立するエプロン部を備えることを特徴とする浴室ユニット。
【請求項５】
前記エプロン部が点検口を有することを特徴とする請求項４記載の浴室ユニット。
【発明の詳細な説明】
【技術分野】
【０００１】
本発明は、浴槽、浴室ユニットに関する。
【背景技術】
【０００２】
従来、浴槽は、浴室の壁面に沿って配置されることが一般的である（例えば特許文献１参照）。
【先行技術文献】
【特許文献】
【０００３】
【特許文献１】特開平１１−１４８１５８号公報
【発明の概要】
【発明が解決しようとする課題】
【０００４】
特許文献１に示される従来例にあっては、浴槽のフランジ部の外周の三辺が浴室の壁面に連結されている。このように壁面に連結されているフランジ部では、被介護者が浴槽のフランジ部に手を置き、フランジ部の外周から下方に指先を伸ばすことができず、浴槽内で立ち上がり難い。
【０００５】
本発明は上記従来の問題点に鑑みて発明したものであって、その目的とするところは、被介護者がフランジ部の外周から下方に指先を伸ばし易い浴槽、浴室ユニットを提供することにある。
【課題を解決するための手段】
【０００６】
本発明に係る浴槽は、槽底部と、前記槽底部の周囲より上側に向けて設けられる槽壁部と、前記槽壁部の上端部より外側に向けて設けられる平面視矩形状をした外周を有するフランジ部と、を備え、前記フランジ部の外周の少なくとも一辺に、浴室の壁面と連結される壁連結部を備え、前記壁連結部を有する前記フランジ部に、前記辺に沿う方向を長手方向とし所定の幅を有する、上方に開口する溝部を備えることを特徴とする。
【発明の効果】
【０００７】
本発明にあっては、被介護者がフランジ部の外周から下方に指先を伸ばし易い。
【図面の簡単な説明】
【０００８】
【図１】第一実施形態の浴室ユニットの一部切欠した斜視図である。
【図２】図２Ａは第一実施形態の浴室ユニットの平面断面図であり、図２Ｂは第一実施形態の浴室ユニットの側面図であり、図２Ｃは第一実施形態の浴室ユニットの別の側面図である。
【図３】第一実施形態の浴槽と床パンの分解斜視図である。
【図４】図４Ａは第一実施形態の浴槽の平面図であり、図４Ｂは第一実施形態の浴槽の側面図であり、図４Ｃは第一実施形態の浴槽の別の側面図であり、図４Ｄは図４ＡのＣ−Ｃ断面図であり、図４Ｃは図４ＡのＤ−Ｄ断面図である。る。
【図５】第一実施形態の浴槽と床パン（点検口蓋なし）の斜視図である。
【図６】図６Ａは第一実施形態の床パン（点検口蓋あり）の斜視図であり、図６Ｂは図６Ａの一部透過した拡大図である。
【図７】第二実施形態の浴槽と床パン（点検口蓋あり）の斜視図である。
【図８】第二実施形態の浴槽と床パンの分解斜視図である。
【図９】第三実施形態の浴槽と床パン（点検口蓋あり）の斜視図である。
【図１０】第三実施形態の浴槽と床パンの分解斜視図である。
【発明を実施するための形態】
【０００９】
本発明の第一実施形態について図１〜図６に基いて説明する。本発明の浴槽は、浴室に設けられ、主に介護のために用いられる浴槽である。
【００１０】
第一実施形態では、浴室は、図１、図２に示す浴室ユニット５により構成される。浴室ユニット５は、図２に示すように、床パン３と、浴槽１と、正面視矩形状をした壁パネル５１と、平面視矩形状をした天井パネル５２とを備えている。壁パネル５１の内側の面が浴室の壁面５１ａとなる。
【００１１】
床パン３は、建物のスラブ等の床に設置される、アジャスターボルトからなる支持脚に支持される。床パン３は、図３に示すように、平面部３０と、平面部３０の周縁に設けられる立ち上がり部３３とを備えている。浴室ユニット５は、図２Ａに示すように平面視矩形状をしたものであるが、床パン３の平面部３０は、図３に示すように、洗い場となる部分を残し、浴槽１が配置される部分に切欠３１を有している。第一実施形態では、図１、図２に示すように、浴槽１の隣接する二つの辺が二つの壁面５１ａに沿って配置されるように、床パン３が平面視Ｌ字状をしている。
【００１２】
図１、図３に示すように、平面部３０には、排水部３２となる凹所が形成されている。平面部３０の周縁に設けられる立ち上がり部３３は、壁パネル５１の載置部となるものである。立ち上がり部３３は、図６Ｂに示すように、平面部３０の周縁から起立する起立部３４と、起立部３４の上端から外側に連設される中片部３５と、中片部３５の外端縁から上方に起立する外片部３６と、を備えている。
【００１３】
図３に示すように、平面部３０の浴槽１が設けられる切欠３１に面する辺に、エプロン部４が設けられる。エプロン部４は、平面部３０より一体に起立している。平面部３０、立ち上がり部３３（起立部３４、中片部３５、外片部３６を含む）、エプロン部４、後述する上延出部３７は、合成樹脂で一体に成形される。エプロン部４には、メンテナンス等のための点検口４１が形成され、点検口４１には点検口蓋４２（図１参照）が開閉可能に設けられる。エプロン部４の外面の上端部には、外段落部４３が形成される。なお、点検口４１の数は、第一実施形態では、２つであるが、その数は、特に限定されない。
【００１４】
浴槽１は、図３、図４に示すように、槽底部１１と、槽底部１１の周囲より上側に向けて設けられる槽壁部１２と、槽壁部１２の上端部より外側に向けて設けられる平面視矩形状をした外周を有するフランジ部１３と、を備えている。フランジ部１３の外端縁から、縦片部１４が下方に向けて設けられている。
【００１５】
浴槽１は、図６Ｂに示すように、縦片部１４がエプロン部４の外段落部４３に載置されて、図１に示すように床パン３と連結される。そして、図１に示すように、床パン３の中片部３５に壁パネル５１が載置されるとともに、浴槽１の壁面５１ａに沿う辺に壁パネル５１が載置され（後述する）、壁面５１ａが隙間なく構成される。また、浴槽１には、壁面５１ａに沿う辺のフランジ部１３に、溝部２が設けられる。
【００１６】
溝部２は、図１、図３、図４に示すように、壁面５１ａに沿う辺を長手方向とし、所定の幅を有する、上方に開口するもので、この辺に沿うフランジ部１３全長に亘って設けられている。溝部２は、フランジ部１３の外端縁から下方に向けて設けられる内側の溝壁部２１と、溝壁部２１の下端から外側に連設される溝底部２２と、溝底部２２の外端縁から上方に起立する外側の溝壁部２３と、により形成される。また、図６Ｂに示すように、内側の溝壁部２１と溝底部２２と外側の溝壁部２３は、溝部２の長手方向の端部において、溝部２の外方に連設する外片部２７を備えている。そして、縦片部１４がエプロン部４の外段落部４３に載置されるのと同様に、溝部２においては、外片部２７がエプロン部４の外段落部４３に載置、嵌合されることで、床パン３と連結される。
【００１７】
また、外側の溝壁部２３の上端部には、図３、図４に示すように、壁面５１ａ（壁パネル５１）と連結される壁連結部２４が設けられる。
【００１８】
壁連結部２４は、図６Ｂに示すように、外側の溝壁部２３の上端部から外側に連設される中片部２５と、中片部２５の外端縁から上方に起立する外片部２６と、を備える。そして、床パン３の中片部３５に壁パネル５１が載置されるのと同様に、中片部２５に壁パネル５１が載置される。これにより、床パン３と浴槽１に壁パネル５１が載置される。
【００１９】
また、第一実施形態では、床パン３は、図３に示すように、平面部３０の周縁における切欠３１に隣接する部分に、上延出部３７が設けられている。上延出部３７は、図６Ｂに示すように、平面部３０から一体に起立され、その上端が、床パン３に載置された浴槽１の壁連結部２４と略同じ高さまで形成される。上延出部３７の側辺および上辺には、立ち上がり部３３の中片部３５および浴槽１の中片部２５と連続する中片部３８と、立ち上がり部３３の外片部３６および浴槽１の外片部２６と連続する外片部３９と、を備えており、壁パネル５１が、立ち上がり部３３および浴槽１に載置されるのと同様に載置される。
【００２０】
第一実施形態では、上延出部３７の側端に浴槽１の外側の溝壁部２３が当接する。これにより、浴槽１のずれ（移動）を上延出部３７が規制することとなり、上延出部３７が規制部（ストッパー）として機能する。
【００２１】
浴槽１は、上述したように、図３に示すように上方より外段落部４３に縦片部１４および外片部２７が載置されて、図５に示すように床パン３の所定の位置に設置され、図６に示すように点検口４１に点検口蓋４２が装着されて、連結がなされる。その後、壁パネル５１が載置され、天井パネル５２が載置されて、浴室ユニット５が構成される。
【００２２】
本発明の浴槽１は、フランジ部１３の外周の少なくとも一辺（第一実施形態では二辺）に、壁面５１ａと連結される壁連結部２４を備えるものである。
【００２３】
なお、介護者が被介護者を浴槽１外から浴槽１内へ移動させて入浴させる作業のし易さの観点では、フランジ部１３の外周の四辺全周が開放されるのが最適となる。しかしながら、この場合、浴槽１が壁面５１ａに全く固定されず、安定しなくなる。すなわち、浴槽１が大量の湯を貯留し、被介護者や介護者が出入りする場合、浴槽１に側方への力がかかったりすると、浴槽１が振動したりして安定せず、好ましくない。このため、本発明においては、フランジ部１３の外周の少なくとも一辺が壁面５１ａに連結されるようにしている。さらに第一実施形態においては、フランジ部１３の外周の壁面５１ａに沿わない辺においても、床パン３に一体に形成されるエプロン部４に連結されるため、浴槽１の床パン３への固定が強固になされ、より一層安定する。
【００２４】
本発明の浴槽１は、図１に示すように、壁面５１ａに連結される辺に沿うフランジ部１３に、所定の幅を有する溝部２を有するものであり、以下に説明する。
【００２５】
所定の幅は、第一実施形態では図１に示すように、１５０ｍｍとしている。溝部２を設ける第一の目的は、被介護者が、浴槽１内で立ち上がる時にフランジ部１３に手を置き、フランジ部１３の外周から下方に指先を伸ばし易いように、壁面５１ａとの間に指が挿入される隙間を確保するためである。この第一の目的においては、隙間（溝部２）は、指が余裕をもって挿入可能な幅を有するとともに、腕が奥深く挿入されないことが好ましい。このため、溝部２の深さが、指や腕が奥深く挿入されない深さとしている。第一実施形態では溝部２の深さが１００ｍｍとなるように溝底部２２が設けられているが、深さは５０〜１５０ｍｍ等、特に限定されない。
【００２６】
なお、フランジ部１３の幅は、第一実施形態では、被介護者がフランジ部１３に手を置き、フランジ部１３を挟み易いように６０ｍｍとしてあるが、特に限定されない。
【００２７】
また、溝部２を設ける第二の目的は、被介護者が、浴槽１内で立ち上がる時に手で壁面５１ａに沿うフランジ部１３に手を置いてフランジ部１３を挟んだ時に、被介護者の頭部が壁面５１ａに衝突し難くする隙間を確保するためである。この第二の目的においては、隙間の幅が大きい程好ましいが、隙間が大きすぎると浴室における有効スペースが減少するため、その兼ね合いにより設計がなされる。第一実施形態では、隙間の幅は上記１５０ｍｍであり、数値範囲は特に限定されないが、１００ｍｍ以上であることが好ましい。
【００２８】
なお、フランジ部１３に手を置いて立ち上がる時に、フランジ部１３を手で挟んだり、掴んだりしてもよいが、特に挟んだりせずに、手のひらをフランジ部１３に押し当てる動作で立ち上がってもよい。
【００２９】
また、第一実施形態では、槽壁部１２の外面のフランジ部１３の上面から下方に所定の距離内に、凹凸部１５を備えている。凹凸部１５は、他の部分と感触を異ならしめ、被介護者がフランジ部１３の外周から下方に指先を伸ばしフランジ部１３を挟んだ時に、フランジ部１３を挟んでいることを認識するためのものである。これにより、立ち上り動作を行なう際に、力をかけている部分をより意識することができるようになる。第一実施形態では、凹凸部１５として、図６Ｂ等に示ように、槽壁部１２の外面（縦片部１４）に、フランジ部１３の上面から所定の距離として５０ｍｍ程度の範囲内で形成されている、深さ０．３ｍｍ、５ｍｍピッチの溝であるが、特に数値や溝に限定されない。第一実施形態では、槽壁部１２の外面全周に凹凸部１５が形成されているが、全周に形成されていなくてもよい。
【００３０】
また、第一実施形態では、平面部３０からの浴槽１の跨ぎ高さが４００ｍｍとなるように形成されている。また、槽底部１１の上面からフランジ部１３の上面までの高さが５００ｍｍとなるように形成されている。
【００３１】
また、第一実施形態では、浴槽１の槽壁部１２が垂直に近くなるように（槽壁部１２の内面の法線が水平より１°〜３°上方を向く角度）形成されている。これにより、被介護者が槽壁部１２の内面に凭れたときに、下方へ滑ってしまうのが抑制される。また、浴槽１の長手方向における槽壁部１２の内面の対向距離が９００ｍｍと短く形成されているため、万一、被介護者が槽壁部１２の内面に凭れて下方へ滑っても、頭部が水面下に沈むのが抑制される。
【００３２】
なお、第一実施形態における浴室内の配置は図２Ａに示すような配置であるが、他例として左右反転した浴槽１、浴室でもよい。さらに、図２Ａに示す浴槽１、浴室と、他例として左右反転した浴槽１、浴室とを合わせて製造してもよく、この場合、これらの浴室を連結するとともに連通口を間に形成することで、二連の浴室として介護がし易いものとすることができる。
【００３３】
次に、第二実施形態について図７、図８に基いて説明する。なお、第一実施形態と大部分において同じであるため、同じ部分については同符号を付して説明を省略し、異なる部分について説明する。
【００３４】
上記第一実施形態では、浴槽１は、フランジ部１３の外周の二辺に壁連結部２４を備え、これら二辺が壁面５１ａに連結されている。これに対して第二実施形態では、フランジ部１３の外周の一辺に壁連結部２４を備え、この一辺のみが壁面５１ａに連結されており、残りの三辺は開放されている。これにより、フランジ部１３の二辺が壁面５１ａに連結される場合と比較して、介護作業がし易いものである。
【００３５】
次に、第三実施形態について図９、図１０に基いて説明する。なお、第一実施形態と大部分において同じであるため、同じ部分については同符号を付して説明を省略し、異なる部分について説明する。
【００３６】
上記第一実施形態では、浴槽１は、フランジ部１３の外周の二辺に壁連結部２４を備え、これら二辺が壁面５１ａに連結されている。これに対して第三実施形態では、フランジ部１３の外周の三辺に壁連結部２４を備え、この三辺がいずれも壁面５１ａに連結されており、残りの一辺は開放されている。これにより、フランジ部の三辺が壁面に連結される従来例と比較して、被介護者がフランジ部の外周から下方に指先を伸ばし易いものである。
【００３７】
介護者が被介護者を介護する場合に、介護者は、浴室外から浴室内へ被介護者を移動させ、さらに浴槽１外から浴槽１内に移動させて入浴させる。その後、介護者は、被介護者を浴槽１内から浴槽１外に移動させ、さらに浴室内から浴室外に移動させる。これにあたり、フランジ部１３の外周の一辺または二辺が壁面５１ａに連結され、フランジ部１３の外周の残りの二辺または三辺が開放されるようにすることで、作業のし易さをより確保することもできる。
【符号の説明】
【００３８】
１    浴槽
１１  槽底部
１２  槽壁部
１３  フランジ部
２    溝部
２４  壁連結部
３    床パン
４    エプロン部
５    浴室ユニット
５１ａ  壁面
【図１】
2016007370.tif 000003
【図２】
2016007370.tif 000004
【図３】
2016007370.tif 000005
【図４】
2016007370.tif 000006
【図５】
2016007370.tif 000007
【図６】
2016007370.tif 000008
【図７】
2016007370.tif 000009
【図８】
2016007370.tif 000010
【図９】
2016007370.tif 000011
【図１０】
2016007370.tif 000012